(57)【要約】【課題】  建築・建造物の壁面を劣化させることなく、極めて低コストで簡便な手段によりツタ類等を緑化対象壁面に繁茂させることを可能にした壁面緑化工法を提供する。【解決手段】  垂直面または斜面からなる緑化対象壁面１１に、スペーサ１２により間隙を介在させて合成樹脂製のネット１５を固定し、上記緑化対象壁面１１の上部または下部に植え込んだ蔓性植物３１を該ネット１５に沿って登降させることにより、上記緑化対象壁面１１の緑化を行う。上記緑化対象壁面１１へのネット１５の固定は、該対象壁面に当接固定するスペーサ１２と該スペーサに重ねる押え部片１３との間に該ネット１５を挟むことによって容易に行うことができる。【選択図】        図１
2005328746.tif 000002
【特許請求の範囲】
【請求項１】
垂直面または斜面からなる緑化対象壁面に、スペーサにより間隙を介在させて合成樹脂製のネットを固定し、
上記緑化対象壁面の上部または下部に植え込んだ蔓性植物を該ネットに沿って登降させることにより、上記緑化対象壁面の緑化を行う、
ことを特徴とする壁面緑化工法。
【請求項２】
上記緑化対象壁面の上部または下部に沿って配置したプランターに蔓性植物を植え込み、タイマー駆動の給水設備により灌水管理される灌水チューブを介して該蔓性植物に灌水する、
ことを特徴とする請求項１に記載の壁面緑化工法。
【請求項３】
緑化対象壁面へのネットの固定を、該対象壁面に当接固定するスペーサと該スペーサに重ねる押え部片との間に該ネットの交叉部を挟むことによって行い、上記スペーサと押え部片との間に設けた溝に該ネットの交叉部を嵌め込むことにより該ネットを保持させる、
ことを特徴とする請求項１または２に記載の壁面緑化工法。
【請求項４】
スペーサと押え部片との間に仮止め機構を設け、該スペーサと押え部片とを上記仮止め機構で予めネットに固定したうえで、該ネットを緑化対象壁面に固定することを特徴とする請求項３に記載の壁面緑化工法。
【請求項５】
上記ネットを挟んだスペーサと押え部片とを、該押え部片の外面からスペーサを通して緑化対象壁面にねじまたは釘を打ち込むことにより固定する、
ことを特徴とする請求項３または４に記載の壁面緑化工法。
【発明の詳細な説明】
【技術分野】
【０００１】
本発明は、建築物の壁面や土木野の法面等の垂直面または斜面からなる緑化対象壁面を簡易に緑化する壁面緑化工法に関するものである。
【背景技術】
【０００２】
従来から、建築物の壁面や土木野の法面等にツタ類の植物を繁茂させている光景はよく見かけられる。このツタ類等の繁茂は、環境美化や壁面温度の昇降抑制の面では良好であるが、実際には、当該植物の根から分泌される根酸で建築・建造物の壁面を溶かして活着しているので、それらの壁面を劣化させることになり、壁面への雨水の浸入や、雨漏りの原因にもなっている。
【発明の開示】
【発明が解決しようとする課題】
【０００３】
本発明は、上述した植物を繁茂させながらも該植物による壁面の劣化の問題を解決するためになされたもので、その技術的課題は、建築・建造物の壁面を劣化させることなく、極めて低コストで簡便な手段によりツタ類等を緑化対象壁面に繁茂させることを可能にした壁面緑化工法を提供することにある。
【課題を解決するための手段】
【０００４】
上記課題を解決するための本発明の壁面緑化工法は、垂直面または斜面からなる緑化対象壁面に、スペーサにより間隙を介在させて合成樹脂製のネットを固定し、上記緑化対象壁面の上部または下部に植え込んだ蔓性植物を該ネットに沿って登降させることにより、上記緑化対象壁面の緑化を行うことを特徴とするものである。
本発明の壁面緑化工法の好ましい実施形態においては、上記緑化対象壁面の上部または下部に沿って配置したプランターに蔓性植物を植え込み、タイマー駆動の給水設備により灌水管理される灌水チューブを介して該蔓性植物に灌水される。
【０００５】
また、本発明の壁面緑化工法の好ましい実施形態においては、緑化対象壁面への上記ネットの固定を、該対象壁面に当接固定するスペーサと該スペーサに重ねる押え部片との間に該ネットの交叉部を挟むことによって行い、上記スペーサと押え部片との間に設けた溝に該ネットの交叉部を嵌め込むことにより該ネットを保持させるように構成される。
この場合に、スペーサと押え部片との間に仮止め機構を設け、該スペーサと押え部片とを上記仮止め機構で予めネットに固定したうえで、該ネットを緑化対象壁面に固定し、また、上記ネットを挟んだスペーサと押え部片とを、該押え部片の外面からスペーサを通して緑化対象壁面にねじまたは釘を打ち込むことにより固定するのが、施工を簡便化するために有効である。
【０００６】
上記構成を有する壁面緑化工法においては、垂直面または斜面からなる緑化対象壁面にスペーサにより適切な間隙を介在させて合成樹脂製のネットを固定し、このネットに沿って蔓性植物を登降させることにより、建築・建造物の壁面に直接植物の根を活着させないので、該建築・建造物の壁面を劣化させたり、該壁面に何らかのストレスを直接与えたりすることがない。しかも、上記ネットを用いることにより、建築・建造物の壁面等に活着して伸びるツタ類だけでなく、他物に巻き付いて伸びる蔓性植物も緑化対象壁面に繁茂させることができる。
【０００７】
また、上記壁面緑化工法においては、基本的には、合成樹脂製のネットを壁面にスペーサを介して固定するだけでよいので、極めて低コストで簡便に施工することができ、しかも、該スペーサを緑化対象壁面に対して離散的に取り付けることにより上記ネットを該壁面に固定することができるので、緑化対象壁面がどのような構造体でも、上記壁面緑化の施工を行うことができ、合成樹脂製のネットが軽量であるため、緑化対象壁面を備えた建築物等に重量負担を掛けることも少ない。さらに、スペーサと押え部片との間に仮止め機構を設け、該スペーサと押え部片とを上記仮止め機構で予めネットに固定したうえで該ネットを緑化対象壁面に固定することにより、現場での施工を極めて簡便化することができる。上記緑化対象壁面に対するスペーサの固定は、接着剤による壁面への接着や、ねじまたは釘の打ち込みによって行うことができるので、ネットの固定にすぐれた強度を持たせることができるばかりでなく、その固定の作業性も非常にもすぐれたものとなる。
【０００８】
上記壁面緑化工法においては、緑化対象壁面の下部に沿って配置したプランターに蔓性植物を植え込み、タイマー駆動の給水設備により灌水管理される灌水チューブを介して該蔓性植物に灌水することができ、これにより該植物へは灌水チューブで常に適量の水分を供給することができるので、該植物を安定的に繁茂させることができる。
【発明の効果】
【０００９】
以上に詳述した本発明の壁面緑化工法によれば、建築・建造物の壁面を劣化させることなく、極めて低コストで簡便な手段によりツタ類等の蔓性植物を緑化対象壁面に繁茂させることができ、しかも、緑化対象壁面には比較的軽量な合成樹脂製のネットを固定するだけであるため、緑化対象壁面を備えた建築物等に大きな重量負担を掛けることもない。
【発明を実施するための最良の形態】
【００１０】
図１及び図２は、本発明に係る壁面緑化工法を建築物壁面に適用した施工例を示している。
この壁面緑化工法は、建築物あるいは構築物の壁面や土木野の法面等の垂直面または斜面を対象とし、その緑化対象壁面を簡易に緑化可能にするもので、この壁面緑化工法を適用した図１の建築物１０は、その壁面１１に予めスペーサ１２により間隙を介在させて合成樹脂製のネット１５を固定し、この壁面１１の下部に沿って配置したプランター３０に蔓性植物３１を植え込んで、その蔓を該ネット１５に沿って登らせることにより、上記緑化対象壁面１１の緑化を行ったものである。上記壁面の下部が蔓性植物の植生に適する露地であれば、上記プランター３０を用いる必要はない。
【００１１】
一方、図２に示す施工例では、図１の場合と同様に、壁面１１に上記スペーサ１２により間隙を介在させて合成樹脂製のネット１５を固定し、この壁面１１の上部に沿って蔓性植物３１を植え込んだプランター３０を配置し、蔓性植物３１を該壁面１１のネット１５に沿って下降させて、該壁面１１を緑化するようにしている。この場合には、例えばヘデラのように壁面を下降する蔓性植物が適している。
なお、図２に示すプランター３０は壁面１１の段差部に設置しているが、プランターの設置面がない壁面１１においては、適宜のホルダーを介してプランター３０を直接壁面１１に固定しても良い。また、上記図１及び図２に示した施工例を併用して、緑化対象壁面１１の上下にプランター３０を配置し、外壁面の緑化を行うこともできる。
【００１２】
上記緑化対象壁面１１に固定するネット１５としては、図３に示すように、耐候性合成樹脂で成形した比較的目の粗いネット（数センチ角オーダーの目）が適し、具体的に、このネット１５の目は、他物に巻き付いたり付着しながら延びる蔓性植物で、そこに植生しようとするものに応じて、それをからませ、あるいは這わせるのに適した大きさのものが選択される。該ネット１５としては、図示したように、経緯の線の交叉部１５ａに若干の凸部１５ｂを有するものが、後述する該ネットの固定のために望ましい。
また、上記ネット１５は、緑化対象壁面１１に当接固定するスペーサ１２により該対象壁面から若干離して固定するが、このスペーサ１２によって、ネット１５を壁面１１から離す距離も、植生しようとする植物の種類に応じて適切に設定することができる。
【００１３】
上記緑化対象壁面１１に対する上記ネット１５の固定は、図３に示すように、対象壁面１１に当接固定するスペーサ１２と該スペーサに重ねる押え部片１３との間に、該ネット１５の経緯の線の交叉部１５ａを挟んで、該押え部片１３をスペーサ１２に固定することによって行うのが簡便であり、それらの固定は、特に、上記スペーサ１２に設けた十字状の溝１２ａにネットの交叉部１５ａを嵌め込み、更に該ネット１５における上記交叉部１５ａの凸部１５ｂを十字状の溝１２ａの中心の凹部１２ｂに嵌入させて該ネット１５をスペーサ１２と押え部片１３との間に挟み込むことにより、該ネット１５をより安定的に保持させることができる。
【００１４】
なお、ここでは、ネットの交叉部１５ａを嵌め込む十字状の溝１２ａをスペーサ１２に設けるようにした場合について説明したが、該十字状の溝１２ａを、その中心の凹部１２ｂをも含めて押え部片１３に設け、あるいは、スペーサ１２と押え部片１３との双方に設けることもできる。
【００１５】
上記スペーサ１２及び押え部片１３を用いてネット１５を緑化対象壁面１１に固定する場合には、図３に例示するように、上記ネット１５を挟んだスペーサ１２と押え部片１３とを、該押え部片１３の外面から該押え部片１３及びスペーサ１２に設けた孔１６を通して緑化対象壁面１１にねじ１７を螺挿し、あるいは釘を打ち込むことにより固定することができ、あるいは、壁面１１の状況に応じてスペーサ１２を該壁面１１に接着し、ねじ１７を該押え部片１３を通してスペーサ１２に螺挿することもできる。
【００１６】
また、上記ネット１５の固定手段としては、図４に示すように、緑化対象壁面１１に接着その他の手段で固定する合成樹脂製のスペーサ１８に、前記図３のスペーサ１２と同様の十字状の溝１８ａを設けると共に、その中心の凹部１８ｂを設け、更に合成樹脂の押え部片１９の脚杆１９ａを嵌着させる複数の嵌着孔１８ｃを設けて、上記押え部片１９の脚杆１９ａ及びスペーサ１２の嵌着孔１８ｃにより、該脚杆１９ａを嵌着孔１８ｃに圧入したときに相互に圧嵌する仮止め機構を構成させている。上記脚杆１９ａには、該仮止め機構として、以下に説明する図５の押え部片と同様に、嵌着孔１８ｃ内に係止する係止部を設けることもできる。なお、一部の嵌着孔１８ｃは、押え部片１９に設けた孔１９ｂを通して壁面１１に螺挿するねじの挿通孔として利用することができる。
【００１７】
図５は、上記ネット１５を固定するためのスペーサ及び押え部片の他の構造例を示している。
このスペーサ２０は、図４のスペーサ１８と同様に、ネット１５の交叉部１５ａを嵌め込む十字状の溝２０ａを設けると共に、その中心にネットの凸部１５ｂを嵌入させる凹部２０ｂを設け、更に、押え部片２１の脚杆２１ｃを嵌着させる複数の嵌着孔２０ｃを設けており、一方、押え部片２１にも、上記ネット１５の交叉部１５ａを嵌め込む十字状の溝２１ａを設けると共に、その中心に上記ネットの凸部１５ｂを嵌入させる凹部２１ｂを設け、また、上記スペーサ２０の嵌着孔２０ｃに嵌着する上記脚杆２１ｃを設けている。
【００１８】
上記脚杆２１ｃを嵌着するスペーサ２０の嵌着孔２０ｃは、壁面１１に当接する側にわずかに拡径する拡径部２０ｄを有する段付き孔であり、また、押え部片２１の脚杆２１ｃは、その先端に上記嵌着孔２０ｃの拡径部２０ｄに係合する傘状の係合部２１ｄを有するもので、これらによって、脚杆２１ｃを嵌着孔２０ｃに圧入したときに相互に係合する仮止め機構を構成させている。この脚杆２１ｃは、先端の係合部２１ｄが弾性変形して嵌着孔２０ｃに圧入され、拡径部２０ｄで弾性回復することにより、該拡径部２０ｄに係合するものである。
【００１９】
更に、上記スペーサ２０における壁面１１への取付け面２０ｆは粗面とし、また、上記スペーサ２０及び押え部片２１には、上記脚杆２１ｃを嵌着孔２０ｃに圧入した状態において直線的に導通する複数の斜孔２０ｅ，２１ｅを穿孔している。
一般に、緑化対象壁面１１は粗面によって形成されており、その壁面１１との摩擦力を高めるためには上記取付け面２０ｆが粗面であるのが望ましく、また、上記斜孔２０ｅ，２１ｅを通してねじ２２を壁面１１に対して斜めに螺挿することにより、スペーサ２０及び押え部片２１の壁面１１に対する保持力を高めることができる。
なお、これらの斜孔及び粗面からなる取付け面は、図３及び４のスペーサ１２，１８等に対しても適用することができる。
【００２０】
このようなスペーサ２０と押え部片２１が予め仮止めされたネット１５は、上記緑化対象壁面１１に沿って該ネット１５を張設した状態で、該壁面１１に当接するスペーサ２０をその位置で上記斜孔２０ｅ，２１ｅを通してねじ２２を螺挿することにより、ネット１５を緑化対象壁面１１に固定することができ、その作業性において非常に有利なものである。
なお、上記スペーサ２０と押え部片２１との間に保持させるネット１５、上記スペーサ２０及び押え部片２１における上記嵌着孔２０ｃ及び脚杆２１ｃ、並びに複数のねじ２２を螺挿するための斜孔２０ｅ，２１ｅは、図５において明示していないが、それらが互いに干渉しないように配置されるものである。
【００２１】
上記緑化対象壁面１１の上下部付近が蔓性植物の植生に適さない場合には、図１または図２に示すように、該緑化対象壁面１１の上下部に沿って蔓性植物３１を植え込むプランター３０を配置することになる。これらの場合には、緑化培養土で保水性を確実に保持できるようにすることもできるが、プランター３０内に灌水チューブ３２を巡らし、タイマー駆動の給水設備３３、具体的には、タイマー駆動の給水ポンプや給水路を開閉する電磁弁等により、灌水チューブ３２に対する灌水の管理を行い、蔓性植物３１に適量の灌水を行うこともできる。
なお、上記プランター３０を用いない場合においても、植生域の環境に応じて上記給水設備３３による灌水を行うことができるのは勿論である。
【００２２】
上記壁面緑化工法においては、垂直面または斜面からなる緑化対象壁面１１にスペーサ１２，１８，２０等により適切な間隙を介在させて合成樹脂製のネット１５を固定し、このネット１５に沿って蔓性植物３１を登降させることにより、建築・建造物の壁面に直接植物の根を活着させないので、該建築・建造物の壁面を劣化させたり、該壁面に何らかのストレスを直接与えたりすることがなく、しかも、上記ネット１５を用いることにより、建築・建造物の壁面等に活着して伸びるツタ類だけでなく、他物に巻き付いて伸びる蔓性植物をも緑化対象壁面１１に繁茂させることができる。
また、例えばスイカズラ等の極めて短期間に繁茂する蔓性木本を用いると、極めて短期間に緑化対象壁面１１の緑化を完成することができる。
【００２３】
更に、上記壁面緑化工法においては、基本的には、合成樹脂製のネット１５を壁面１１にスペーサ１２，１８等を介して固定するだけでよいので、極めて低コストで簡便に施工することができ、しかも、該スペーサを緑化対象壁面１１に対して離散的に取り付けることにより上記ネットを該壁面１１に固定することができるので、緑化対象壁面１１がどのような構造体でも、上記壁面緑化の施工を行うことができる。また、緑化対象壁面１１に対するスペーサの固定は、接着剤による壁面への接着や、ねじまたは釘の打ち込みによって行うことができるので、ネットの固定にすぐれた強度を持たせることができるばかりでなく、その固定の作業性も非常にもすぐれたものとなる。
【図面の簡単な説明】
【００２４】
【図１】本発明にかかる壁面緑化工法を適用した建築物壁面の概要を示す断面図である。
【図２】本発明にかかる壁面緑化工法を適用した他の建築物壁面の概要を示す断面図である。
【図３】上記壁面緑化工法に用いる合成樹脂製ネット及びそれを壁面に固定する手段の一例を示す分解斜視図である。
【図４】上記ネットを壁面に固定する手段の他の一例を示す分解斜視図である。
【図５】上記ネットを壁面に固定する手段の他の一例の壁面への固定状態を示す部分断面図である。
【符号の説明】
【００２５】
１０        建築物
１１        壁面
１２，１８，２０    スペーサ
１２ａ，１８ａ，２０ａ    溝
１３，１９，２１    押え部片
１５        ネット
１５ａ      交叉部
１７，２２    ねじ
３０        プランター
３１        蔓性植物
３２        灌水チューブ
３３        給水設備
【図１】
2005328746.tif 000003
【図２】
2005328746.tif 000004
【図３】
2005328746.tif 000005
【図４】
2005328746.tif 000006
【図５】
2005328746.tif 000007